【手続補正書】
【提出日】平成16年9月16日(2004.9.16)
【手続補正１】
【補正対象書類名】明細書
【補正対象項目名】全文
【補正方法】変更
【補正の内容】
【書類名】        明細書
【発明の名称】  トーチろう付け装置およびこれを用いたソーラー・パネルの製造方法
【特許請求の範囲】
【請求項１】  ガス流量調節バルブ(3) 付きの複数の火口(2) を有するガスバーナ(1) と、各火口(2) の火炎の温度分布図を作成するサーモグラフィ装置(4) と、得られた温度分布図から各火口(2) の火炎温度を求める演算装置(5) と、得られた火炎温度が基準値より低い場合には開度大、火炎温度が基準値より高い場合には開度小となるように各ガス流量調節バルブ(3) の開度を調節する制御装置(6) とを備えているトーチろう付け装置。
【請求項２】  請求項１に記載のトーチろう付け装置を用いたソーラー・パネルの製造方法であって、ガスバーナ(1) が通水管(12)の数に等しい数の火口(2) を有しており、この火口(2) がソーラー・パネル(10)の互いに間隔をおいて平行に配置された一対の銅製ヘッダパイプ(11)と、両端が両ヘッダパイプ(11)に接続された並列状の銅製通水管(12)との接続部に臨まされ、すべての通水管(12)の一端部が１回のろう付け作業により、ヘッダパイプ(11)に接合されるソーラー・パネルの製造方法。
【請求項３】  互いに間隔をおいて平行に配置された一対の銅製ヘッダパイプ(11)と、両端が両ヘッダパイプ(11)に接続された並列状の銅製通水管(12)と、並列状の通水管(12)を覆うアルミニウム製集熱板(13)とよりなり、各ヘッダパイプ(11)と通水管(12)の接続部を請求項１に記載のトーチろう付け装置を用いて接合してなるソーラー・パネル。
【発明の詳細な説明】
【０００１】
【発明の属する技術分野】
この発明は、複数箇所を同時にトーチろう付けするトーチろう付け装置、これを用いたソーラー・パネルの製造方法およびソーラー・パネルに関する。
【０００２】
【従来の技術】
従来、ソーラー・パネルなどの製造に際して複数箇所を同時にトーチろう付けするトーチろう付け装置としては、ガス流量調節バルブ付きの複数の火口を有するガスバーナが知られている。この装置では、ガス流量調節バルブの開度を調節してガス流量の均一化を図っている。
【０００３】
【発明が解決しようとする課題】
上記従来のトーチろう付け装置では、ガス流量調節バルブの開度調節だけではガス流量が均一にならず、ガス流量不足またはガス流量過多によって火炎温度が適正値から外れ、接合不良が起こるという問題があった。
【０００４】
この発明の目的は、接合不良を無くすことが可能なトーチろう付け装置、これを用いたソーラー・パネルの製造方法およびソーラー・パネルを提供することにある。
【０００５】
【課題を解決するための手段】
この発明によるトーチろう付け装置は、ガス流量調節バルブ付きの複数の火口を有するガスバーナと、各火口の火炎の温度分布図を作成するサーモグラフィ装置と、得られた温度分布図から各火口の火炎温度を求める演算装置と、得られた火炎温度が基準値より低い場合には開度大、火炎温度が基準値より高い場合には開度小となるように各ガス流量調節バルブの開度を調節する制御装置とを備えているものである。
【０００６】
この発明によるソーラー・パネルの製造方法は、上記トーチろう付け装置を用いたソーラー・パネルの製造方法であって、ガスバーナが通水管の数に等しい数の火口を有しており、この火口がソーラー・パネルの互いに間隔をおいて平行に配置された一対の銅製ヘッダパイプと、両端が両ヘッダパイプに接続された並列状の銅製通水管との接続部に臨まされ、すべての通水管の一端部が１回のろう付け作業により、ヘッダパイプに接合されるものである。
【０００７】
この発明によるソーラー・パネルは、互いに間隔をおいて平行に配置された一対の銅製ヘッダパイプと、両端が両ヘッダパイプに接続された並列状の銅製通水管と、並列状の通水管を覆うアルミニウム製集熱板とよりなり、各ヘッダパイプと通水管の接続部を上記のトーチろう付け装置を用いて接合してなるものである。
【０００８】
【発明の実施の形態】
この発明の実施の形態を、以下図面を参照して説明する。
【０００９】
図１に示すトーチろう付け装置は、ガス流量調節バルブ(3) 付きの複数の火口(2) を有するガスバーナ(1) と、各火口(2) の火炎の温度分布図を作成するサーモグラフィ装置(4) と、サーモグラフィ装置(4) で得られた温度分布図から各火口(2) の火炎温度を求めるパソコン（演算装置）(5) と、パソコン(5) による計算結果に基づいてすべての火口(2) の火炎温度が等しくなるようにガスバーナ(1) の各ガス流量調節バルブ(3) の開度を調節する制御装置(6) とを備えている。
【００１０】
この装置によりろう付けされるものとしては、例えば、ソーラー・パネル(10)がある。ソーラー・パネル(10)は、互いに間隔をおいて平行に配置された一対の銅製ヘッダパイプ(11)と、両端が両ヘッダパイプ(11)に接続された並列状の銅製通水管(12)と、並列状の通水管(12)を覆うアルミニウム製集熱板(13)とよりなる。各ヘッダパイプ(11)と通水管(12)の接続部には、リング状のろう材(14)がセットされ、すべての通水管(12)の一端部が１回のろう付け作業により、ヘッダパイプ(11)に接合される。
【００１１】
ガスバーナ(1) は、通水管(12)の数に等しい数の火口(2) を有しており、ガス流量調節バルブ(3) は、例えばコントロール・モータを正逆転させることにより、その開度が調節されている。
【００１２】
サーモグラフィ装置(4) としては、温度分布を２次元にカラー表示するもの（例えばサーマルビジョンカメラと称されているもの）が用いられている。
【００１３】
このトーチろう付け装置によると、各火口(2) の火炎温度がサーモグラフィ装置(4) で測定され、得られた温度分布図すなわち二次元の温度情報に基づいて、パソコン(5) により各火口(2) の火炎温度が計算され、この計算結果が制御装置(6) に送られる。制御装置(6) は、火炎温度が基準値より低い火口(2) のガス流量調節バルブ(3) には、バルブ開度を大きくする信号を、火炎温度が基準値より高い火口(2) のガス流量調節バルブ(3) には、バルブ開度を小さくする信号を出力する。こうして、すべての火口(2) の火炎温度が基準値に等しくなるようにガスバーナ(1) の各ガス流量調節バルブ(3) の開度が調節される。これにより、すべてのろう付け箇所が同条件でろう付けされ、火炎温度が設定範囲を外れることによる接合不良を防止することができる。
【００１４】
なお、サーモグラフィ装置(4) は、熱電対温度計に比べて、応答性が迅速でありかつ劣化の心配が無いという点で優れており、また、ポイントだけを見る放射温度計に比べて、火炎の温度を幅広く同時に見れる点で優れている。また、ガス流量を調節するには、電磁弁を使用してこれをオン・オフすることによっても可能であるが、この場合には、不完全燃焼等の不具合が生じる恐れがあるという問題がある。
【００１５】
【発明の効果】
この発明のトーチろう付け装置によると、各火口の火炎の温度分布図がサーモグラフィ装置により求められ、得られた温度分布図すなわち二次元の温度情報に基づいて各火口の火炎温度が求められ、その火炎温度が基準値より低い場合にはバルブ開度大の信号が、火炎温度が基準値より高い場合にはバルブ開度小の信号が制御装置から出力される。こうして、すべての火口の火炎温度が基準値に等しくなるようにガスバーナの各ガス流量調節バルブの開度が調節されるから、すべてのろう付け箇所が同条件でろう付けでき、したがって、火炎温度が設定範囲から外れることによる接合不良を防止することができる。
【００１６】
この発明のソーラー・パネルの製造方法によると、すべてのろう付け箇所が同条件でろう付けできるので、火炎温度が設定範囲から外れることによる接合不良を防止することができる。
【００１７】
この発明のソーラー・パネルによると、すべてのろう付け箇所が同条件でろう付けされるので、火炎温度が設定範囲から外れることによる接合不良が防止されたソーラー・パネルを得ることができる。
【図面の簡単な説明】
【図１】
この発明によるトーチろう付け装置を概略的に示す図である。
【符号の説明】
(1)     ガスバーナ
(2)     火口
(3)     ガス流量調節バルブ
(4)     サーモグラフィ装置
(5)     パソコン（演算装置）
(6)     制御装置
(10)    ソーラー・パネル
(11)    銅製ヘッダパイプ
(12)    銅製通水管
(13)    アルミニウム製集熱板